(57)【特許請求の範囲】
【請求項１】
画像読み取りの対象となる原稿が置かれる原稿台と、
画像読み取り後の原稿が排出される排出台と、
前記原稿台から画像読み取り位置を経て前記排出台まで原稿の搬送を行う搬送部とを備え、
前記搬送部は、
前記画像読み取り位置の原稿搬送方向上流側にて当該画像読み取り位置への原稿の供給を行う第１の搬送ロールと、
前記画像読み取り位置の原稿搬送方向下流側にて当該画像読み取り位置を通過した原稿をさらに下流側へ搬送する第２の搬送ロールと、
前記第２の搬送ロールよりも原稿搬送方向下流側にて画像読み取り後の原稿の前記排出台への排出を行う第３の搬送ロールと、
前記第１の搬送ロール、前記第２の搬送ロールおよび前記第３の搬送ロールを連動させる駆動伝達機構と、
前記第１の搬送ロール、前記第２の搬送ロールまたは前記第３の搬送ロールのいずれかの回転軸に設けられて当該回転軸を手動回転させる原稿送り用操作部材と
を有し、
前記第３の搬送ロールは、その回転軸が、前記第１の搬送ロールおよび前記第２の搬送ロールの各回転軸よりも装置設置時に上方側に位置するように配されており、
前記原稿送り用操作部材は、前記第３の搬送ロールの回転軸に設けられている
ことを特徴とする原稿送り装置。
【請求項２】
前記原稿送り用操作部材は、前記駆動伝達機構を構成するベルト用プーリと一体で形成されている
ことを特徴とする請求項１記載の原稿送り装置。
【請求項３】
読み取り対象となる原稿を搬送する原稿送り装置を有して当該原稿送り装置が搬送する原稿からの画像読み取りを行う画像読取装置と、
前記画像読取装置での画像読み取り結果に基づいて記録媒体上への画像出力を行う画像記録装置とを具備し、
前記原稿送り装置は、
画像読み取りの対象となる原稿が置かれる原稿台と、
画像読み取り後の原稿が排出される排出台と、
前記原稿台から画像読み取り位置を経て前記排出台まで原稿の搬送を行う搬送部とを備え、
前記搬送部は、
前記画像読み取り位置の原稿搬送方向上流側にて当該画像読み取り位置への原稿の供給を行う第１の搬送ロールと、
前記画像読み取り位置の原稿搬送方向下流側にて当該画像読み取り位置を通過した原稿をさらに下流側へ搬送する第２の搬送ロールと、
前記第２の搬送ロールよりも原稿搬送方向下流側にて画像読み取り後の原稿の前記排出台への排出を行う第３の搬送ロールと、
前記第１の搬送ロール、前記第２の搬送ロールおよび前記第３の搬送ロールを連動させる駆動伝達機構と、
前記第１の搬送ロール、前記第２の搬送ロールまたは前記第３の搬送ロールのいずれかの回転軸に設けられて当該回転軸を手動回転させる原稿送り用操作部材と
を有し、
前記第３の搬送ロールは、その回転軸が、前記第１の搬送ロールおよび前記第２の搬送ロールの各回転軸よりも前記原稿送り装置設置時に上方側に位置するように配されており、
前記原稿送り用操作部材は、前記第３の搬送ロールの回転軸に設けられている
ことを特徴とする画像形成装置。
【発明の詳細な説明】
【技術分野】
【０００１】
本発明は、原稿送り装置および画像形成装置に関する。
【背景技術】
【０００２】
ＡＤＦ（auto document feeder）やＤＡＤＦ（Duplex auto document feeder）等として知られる原稿送り装置は、原稿台上に処理対象となる原稿束が置かれると、その原稿束を構成する各原稿について毎葉での搬送を行い、各原稿が画像読み取り位置を通過した後に、その画像読み取り後の原稿を排出台上へ排出するように構成されている（例えば、特許文献１参照。）。
【先行技術文献】
【特許文献】
【０００３】
【特許文献１】特開２００９−６７５５９号公報
【発明の概要】
【発明が解決しようとする課題】
【０００４】
原稿送り装置では、原稿台から排出台までに至る原稿の搬送過程において、何らかの理由により原稿詰まり等の搬送トラブルが発生することが考えられる。このような原稿の搬送トラブル発生に対して迅速に対処するためには、当該原稿を搬送路上から容易に取り除けるようにすることが望ましい。
ただし、そのために装置構成が複雑化することは抑制すべきである。例えば、外装カバー近傍に操作ノブを設けてその動作をベルトやプーリ等により搬送ロールに伝えるといった機構を採用すると、搬送路上からの原稿除去が容易に行えても、当該機構を採用しない場合に比べて部品点数の増大を招いてしまい、結果として装置構成が複雑化してしまうことになる。
そこで、本発明は、装置構成が複雑化することを抑制しつつ、搬送トラブルが発生した場合に搬送路上からの原稿除去を容易に行える原稿送り装置および画像形成装置を提供することを目的とする。
【課題を解決するための手段】
【０００５】
請求項１に係る発明は、画像読み取りの対象となる原稿が置かれる原稿台と、画像読み取り後の原稿が排出される排出台と、前記原稿台から画像読み取り位置を経て前記排出台まで原稿の搬送を行う搬送部とを備え、前記搬送部は、前記画像読み取り位置の原稿搬送方向上流側にて当該画像読み取り位置への原稿の供給を行う第１の搬送ロールと、前記画像読み取り位置の原稿搬送方向下流側にて当該画像読み取り位置を通過した原稿をさらに下流側へ搬送する第２の搬送ロールと、前記第２の搬送ロールよりも原稿搬送方向下流側にて画像読み取り後の原稿の前記排出台への排出を行う第３の搬送ロールと、前記第１の搬送ロール、前記第２の搬送ロールおよび前記第３の搬送ロールを連動させる駆動伝達機構と、前記第１の搬送ロール、前記第２の搬送ロールまたは前記第３の搬送ロールのいずれかの回転軸に設けられて当該回転軸を手動回転させる原稿送り用操作部材とを有し、前記第３の搬送ロールは、その回転軸が、前記第１の搬送ロールおよび前記第２の搬送ロールの各回転軸よりも装置設置時に上方側に位置するように配されており、前記原稿送り用操作部材は、前記第３の搬送ロールの回転軸に設けられていることを特徴とする原稿送り装置である。
請求項２に係る発明は、前記原稿送り用操作部材は、前記駆動伝達機構を構成するベルト用プーリと一体で形成されていることを特徴とする請求項１記載の原稿送り装置である。
請求項３に係る発明は、読み取り対象となる原稿を搬送する原稿送り装置を有して当該原稿送り装置が搬送する原稿からの画像読み取りを行う画像読取装置と、前記画像読取装置での画像読み取り結果に基づいて記録媒体上への画像出力を行う画像記録装置とを具備し、前記原稿送り装置は、画像読み取りの対象となる原稿が置かれる原稿台と、画像読み取り後の原稿が排出される排出台と、前記原稿台から画像読み取り位置を経て前記排出台まで原稿の搬送を行う搬送部とを備え、前記搬送部は、前記画像読み取り位置の原稿搬送方向上流側にて当該画像読み取り位置への原稿の供給を行う第１の搬送ロールと、前記画像読み取り位置の原稿搬送方向下流側にて当該画像読み取り位置を通過した原稿をさらに下流側へ搬送する第２の搬送ロールと、前記第２の搬送ロールよりも原稿搬送方向下流側にて画像読み取り後の原稿の前記排出台への排出を行う第３の搬送ロールと、前記第１の搬送ロール、前記第２の搬送ロールおよび前記第３の搬送ロールを連動させる駆動伝達機構と、前記第１の搬送ロール、前記第２の搬送ロールまたは前記第３の搬送ロールのいずれかの回転軸に設けられて当該回転軸を手動回転させる原稿送り用操作部材とを有し、前記第３の搬送ロールは、その回転軸が、前記第１の搬送ロールおよび前記第２の搬送ロールの各回転軸よりも装置設置時に上方側に位置するように配されており、前記原稿送り用操作部材は、前記第３の搬送ロールの回転軸に設けられていることを特徴とする画像形成装置である。
【発明の効果】
【０００６】
請求項１，３に係る発明によれば、例えば搬送部にて原稿の搬送トラブルが生じた場合であっても、原稿送り用操作部材の手動回転によって駆動伝達機構を介して第１の搬送ロール、第２の搬送ロールおよび第３の搬送ロールのそれぞれに回転駆動力が伝達されるので、搬送部の搬送路上にある原稿を当該搬送路上から容易に除去することができる。しかも、原稿送り用操作部材がロール回転軸に設けられていることから、例えば外装カバー近傍に操作ノブを設けてその動作をベルトやプーリ等により搬送ロールに伝えるといった機構を採用した場合に比べると、部品点数増大抑制を通じて装置構成が複雑化してしまうのを抑制することができる。
また、請求項１，３に係る発明によれば、原稿送り用操作部材を第１の搬送ロールまたは第２の搬送ロールの回転軸に設ける場合に比べると、当該原稿送り用操作部材の大径化が可能になり、手動回転させるときの操作性が向上する。
請求項２に係る発明によれば、原稿送り用操作部材がベルト用プーリと別体で形成されている場合に比べると、部品点数増大を抑制する上で有効である。
【図面の簡単な説明】
【０００７】
【図１】本発明に係る画像形成装置の概略構成例を示す模式図である。
【図２】本発明に係る原稿送り装置の要部構成例を示す側断面図である。
【図３】本発明に係る原稿送り装置の要部構成例を示す平面図である。
【図４】比較例となる原稿送り装置の要部構成を示す側断面図である。
【発明を実施するための形態】
【０００８】
以下、図面に基づき本発明に係る原稿送り装置および画像形成装置について説明する。
【０００９】
［画像形成装置の構成例］
先ず、画像形成装置の構成例について説明する。
図１は、本発明に係る画像形成装置の概略構成例を示す模式図である。
【００１０】
図例のように、画像形成装置１００は、画像読取装置１０と、画像記録装置１１０と、を具備して構成されている。
画像読取装置１０は、画像形成装置１００の上部に配置され、原稿の画像を読み取り、その読み取った画像を画像信号に変換するようになっている。
画像記録装置１１０は、画像形成装置１００の下部に配置され、画像読取装置１０が変換した画像信号に基づいて用紙等の記録媒体Ｐへ画像を記録するようになっている。
【００１１】
［画像記録装置の構成例］
ここで、画像記録装置１１０の構成例について説明する。
【００１２】
画像記録装置１１０は、その下部に、記録媒体Ｐが収容された複数の記録媒体収容部１２０、１２１を備えている。記録媒体収容部１２０、１２１には、それぞれ、サイズの異なる記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００１３】
記録媒体収容部１２０、１２１の先端側（図１において右端側）の直上には、記録媒体Ｐの上面の先端側に接触して回転し、記録媒体収容部１２０、１２１から記録媒体Ｐを送り出す送出しロール１２６が配置されている。
【００１４】
画像記録装置１１０内には、記録媒体収容部１２０、１２１の先端部から延出して、Ｓ字状に湾曲し、画像記録装置１１０の上部へ向かって延びる搬送路１２２が形成されている。この搬送路１２２に沿って、記録媒体の搬送方向の上流側から順に、記録媒体Ｐを挟持搬送する複数（例えば、６つ）の搬送ロール対１６４と、レジストロール１６８とが配置されている。
【００１５】
記録媒体収容部１２１の上方には、記録媒体Ｐへ画像を記録する画像記録部１３０が配置されている。記録媒体収容部１２０、１２１に収容された記録媒体Ｐは、送出しロール１２６により送り出され、搬送ロール対１６４およびレジストロール１６８によって搬送路１２２を搬送されて画像記録部１３０へ送られる。
【００１６】
画像記録部１３０は、記録媒体収容部１２０、１２１から送られてきた記録媒体Ｐに、シアン、マゼンタ、イエローおよびブラックの各色トナーを用いて記録媒体Ｐにカラー画像を形成するようになっている。そのために、画像記録部１３０には、４つの感光体ドラム１１２が並んで回転するように配設されている。各感光体ドラム１１２は、図示しない駆動部により、矢印Ｋの方向に回転する。
【００１７】
各感光体ドラム１１２の左斜め下部には、帯電ロール１１４が感光体ドラム１１２に接触するように配設されている。帯電ロール１１４は、感光体ドラム１１２の表面を所定の電位に帯電する。帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００１８】
各色の現像器１１８の現像ロール１１９には、所定の極性に帯電した各色トナーが保持されている。各感光体ドラム１１２の表面に形成された潜像は、現像ロール１１９に現像バイアスを印加することで現像され各色のトナー像となる。
【００１９】
４個の各感光体ドラム１１２にそれぞれ形成された各色のトナー像は、各感光体ドラム１１２の上方に配置された中間転写ベルト１１３上に第１転写ロール１１５で転写され、中間転写ベルト１１３上に重畳されてフルカラーのトナー像となる。
【００２０】
記録媒体収容部１２０、１２１から送り出されるとともに搬送ロール対１６４で搬送された記録媒体Ｐは、レジストロール１６８により予め設定されたタイミングで第２転写ロール１３２と中間転写ロール１３４とのニップ部に送られ、フルカラーのトナー像が記録媒体Ｐに転写される。なお、中間転写ロール１３４側の記録媒体Ｐの面にトナー像は転写される。
【００２１】
フルカラーのトナー像が転写された記録媒体Ｐは、定着器１３６に送られる。定着器１３６は熱と圧力とで記録媒体Ｐにトナー像を定着する。トナー像が定着した記録媒体Ｐは、排出ロール１４２によって排紙トレイ１４０へ排出される。
【００２２】
なお、中間転写ベルト１１３と記録媒体Ｐとにトナー像は全て転写されずに、一部は感光体ドラム１１２および中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
【００２３】
［画像読取装置の概略構成例］
続いて、画像読取装置１０の概略構成例について説明する。
【００２４】
画像読取装置１０は、読み取り対象となる原稿を搬送する原稿送り装置としての機能を有しており、当該原稿送り装置が搬送する原稿からの画像読み取りを行うようになっている。さらに詳しくは、原稿トレイ１１、搬送部３７、排出トレイ４０等によって原稿送り装置としての機能が実現されているとともに、読取部７０および処理装置８０が原稿からの画像読み取りおよび読み込まれた画像信号の処理を行うようになっている。
【００２５】
そのために、画像読取装置１０は、異なるサイズの原稿が置かれる原稿台の一例としての原稿トレイ１１と、原稿トレイ１１を上昇および下降させるトレイリフタ１２とを備えている。原稿トレイ１１には、異なるサイズの原稿、すなわち原稿送り方向Ａに沿った距離である原稿長と、原稿送り方向Ａと直交する方向に沿った距離である原稿幅との少なくとも一方が異なる原稿が置かれるようになっている。
【００２６】
また、画像読取装置１０は、原稿トレイ１１に置かれた原稿束を一枚ずつ分離して排出台の一例としての排出トレイ４０へ搬送する搬送部３７を備えている。
【００２７】
搬送部３７は、トレイリフタ１２により上昇された原稿トレイ１１から原稿を送り出す送出しロール１３、送出しロール１３により送り出された原稿をさらに下流側まで搬送するフィードロール１４、送出しロール１３により送り出された原稿を１枚ずつに分離する分離ロール１５を備えている。
【００２８】
また、搬送部３７は、原稿トレイ１１から送り出された原稿が最初に搬送される第１搬送路３１を備えている。この第１搬送路３１には、一枚ずつに分離された原稿を下流側のロールまで搬送するテイクアウェイロール１６、原稿をさらに下流側のロールまで搬送するとともにループ作成を行うプレレジロール１７、一旦、停止した後にタイミングを合わせて回転を再開し、読取部７０に対してレジストレーション調整を施しながら原稿を供給するレジロール１８、読み込み中の原稿搬送をアシストするプラテンロール１９、読み込まれた原稿をさらに下流に搬送するアウトロール２０を備えている。
また、第１搬送路３１には、搬送される原稿のループ状態に応じて支点を中心として回動するバッフル４１が設けられている。
【００２９】
アウトロール２０の下流側には、第２搬送路３２および第３搬送路３３が設けられている。第２搬送路３２および第３搬送路３３との分岐には、この第２搬送路３２および第３搬送路３３を切り替える搬送路切替ゲート４２が設けられている。
第２搬送路３２の下流側には、読み取りが終了した原稿が排出される排出部の一例としての排出トレイ４０が設けられている。この排出トレイ４０へ原稿を排出させる第１排出ロール２１が、第２搬送路３２に設けられている。
【００３０】
また、第３搬送路３３の下流側には、第３搬送路３３を経由した原稿をスイッチバックさせるための第４搬送路３４が形成されている。
第４搬送路３４には、原稿のスイッチバックを行うインバータロール２２およびインバータピンチロール２３が設けられている。
第４搬送路３４によってスイッチバックされた原稿を再度、第１搬送路３１に導く第５搬送路３５が、第４搬送路３４と第１搬送路３１とを通じている。
第４搬送路３４によってスイッチバックされた原稿を排出トレイ４０に排出する第６搬送路３６が、第４搬送路３４と通じている。第６搬送路３６には、反転排出される原稿を第１排出ロール２１まで搬送する第２排出ロール２４、第５搬送路３５および第６搬送路３６の搬送経路を切り替える出口切替ゲート４３が設けられている。
【００３１】
送出しロール１３は、待機時にはリフトアップされて退避位置に保持され、原稿搬送時にニップ位置（原稿搬送位置）へ降下して原稿トレイ１１上の最上位の原稿を搬送する。
送出しロール１３およびフィードロール１４は、フィードクラッチ（図示せず）の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。
【００３２】
また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂに押圧されて、下面方向から画像データが読み込まれる。
【００３３】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ（図示せず）がオフの状態でリトラクトされてニップが開放され、原稿をインバータパス（第４搬送路３４）へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００３４】
読取部７０は、画像読取装置１０の下部に設けられ、搬送部３７によって搬送された原稿の画像読み取りを行っている。この読取部７０は、筐体を形成する装置フレーム７１に、画像を読み込むべき原稿を静止させた状態で載置する第１プラテンガラス７２Ａ、搬送中の原稿を読み取るための光の開口部を形成する第２プラテンガラス７２Ｂが設けられている。
【００３５】
また、読取部７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。さらに、ハーフレートキャリッジ７５には、第１ミラー７６Ａから得られた光を結像部へ提供する第２ミラー７６Ｂおよび第３ミラー７６Ｃが備えられている。
【００３６】
さらに、読取部７０は、第３ミラー７６Ｃから得られた光学像を光学的に縮小する結像用レンズ７７、結像用レンズ７７によって結像された光学像を光電変換するＣＣＤ（Charge Coupled Device）イメージセンサ７８、ＣＣＤイメージセンサ７８を備える駆動基板７９を備え、ＣＣＤイメージセンサ７８によって得られた画像信号は駆動基板７９を介して処理装置８０に送られる。処理装置８０は、画像信号を露光ヘッド１１６へ送るようになっている。
【００３７】
ここで、まず、第１プラテンガラス７２Ａに置かれた原稿の画像を読み取る場合には、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されるとともに、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）にフルレートキャリッジ７３を移動させ、原稿の次のラインを読み取る。これを原稿サイズ全体に亘って実行することで、１ページの原稿読み取りを完了させる。
【００３８】
一方、第２プラテンガラス７２Ｂは、例えば長尺の板状構造をなす透明なガラスプレートで構成される。搬送部３７によって搬送される原稿がこの第２プラテンガラス７２Ｂの上を通過する。このとき、フルレートキャリッジ７３とハーフレートキャリッジ７５とは、図１に示す実線の位置に停止した状態にある。まず、搬送部３７のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。すなわち、１次元のセンサであるＣＣＤイメージセンサ７８によって主走査方向の１ライン分を同時に処理した後、搬送部３７によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００３９】
［原稿送り装置の要部構成例］
次に、画像読取装置１０が有する原稿送り装置における特徴的な要部構成例について説明する。
【００４０】
図２は本発明に係る原稿送り装置の要部構成例を示す側断面図であり、図３その平面図である。
【００４１】
図例のように、画像読取装置１０において、原稿送り装置の一構成要素に相当する搬送部３７は、原稿トレイ１１から送り出された原稿の搬送方向を折り返すように、第１搬送路３１が形成されている。第１搬送路３１には、その搬送経路上に、レジロール１８とアウトロール２０とが配されている。
レジロール１８は、読取部７０に対してレジストレーション調整を施しながら原稿を供給する。すなわち、レジロール１８は、読取部７０による画像読み取り位置の原稿搬送方向上流側にて、当該画像読み取り位置への原稿の供給を行う第１の搬送ロールに相当する。
アウトロール２０は、読取部７０によって画像が読み込まれた原稿をさらに下流に搬送する。すなわち、アウトロール２０は、読取部７０による画像読み取り位置の原稿搬送方向下流側にて、当該画像読み取り位置を通過した原稿をさらに下流側へ搬送する第２の搬送ロールに相当する。
【００４２】
アウトロール２０の下流側には、第２搬送路３２が形成されている。第２搬送路３２には、その搬送経路上に、第１排出ロール２１が配されている。
第１排出ロール２１は、排出トレイ４０への原稿の排出を行う。すなわち、第１排出ロール２１は、アウトロール２０よりも原稿搬送方向下流側にて、画像読み取り後の原稿の排出トレイ４０への排出を行う第３の搬送ロールに相当する。
なお、第１排出ロール２１は、その回転軸が、レジロール１８およびアウトロール２０の各回転軸よりも装置設置時に上方側に位置するように配されている。これは、画像読み取り位置では読取部７０に近づけて原稿を搬送すべきであることから、レジロール１８およびアウトロール２０の各回転軸が下方側（すなわち、読取部７０に近い側）に位置しているのに対し、排出トレイ４０上への複数の原稿の積み重ね排出に対応するために、第１排出ロール２１の回転軸がレジロール１８およびアウトロール２０の各回転軸よりも上方側に位置しているのである。
【００４３】
レジロール１８の回転軸とアウトロール２０の回転軸とは、プーリ９１Ａ，９１Ｂおよびベルト９１Ｃから構成される駆動伝達機構によって連結されている。また、アウトロール２０の回転軸と第１排出ロール２１の回転軸とは、プーリ９１Ｄ，９１Ｅおよびベルト９１Ｆから構成される駆動伝達機構によって連結されている。つまり、レジロール１８、アウトロール２０および第１排出ロール２１の各回転軸は、プーリ９１Ａ，９１Ｂ，９１Ｄ，９１Ｅおよびベルト９１Ｃ，９１Ｆから構成される駆動伝達機構９１によって互いに連結されている。したがって、レジロール１８、アウトロール２０および第１排出ロール２１は、駆動伝達機構９１による駆動力伝達を介して、互いに連動することになる。
なお、レジロール１８の回転軸には、当該レジロール１８を挟んでプーリ９１Ａとは別の側に、プーリ９２Ａ，９２Ｂおよびベルト９２Ｃから構成される駆動伝達機構を介して、電動モータ等の駆動源９３が連結されている。
【００４４】
ところで、第１排出ロール２１の回転軸には、原稿送り用操作部材の一例としての操作ノブ９４が設けられている。
操作ノブ９４は、第１排出ロール２１の回転軸を手動回転させるためのもので、当該回転軸と同芯の円板状部材からなる。そして、その外周端面には、一定間隔毎に凸形状部分が形成され、またはいわゆるローレット加工が施されている。
このような操作ノブ９４は、例えば樹脂材料の成形加工を利用して、第１排出ロール２１の回転軸におけるプーリ９１Ｅと一体で形成することが考えられる。ただし、これに限定されることはなく、他の公知の手法を利用して形成したものであったり、プーリ９１Ｅとは別体で形成したものであっても構わない。
【００４５】
［原稿送り装置の処理動作および作用］
以上のような構成の搬送部３７を有した画像読取装置１０では、例えば原稿の紙詰まりが発生した場合に、当該搬送部３７を覆う外装カバー（ただし不図示）等を開状態にして、詰まった原稿を取り除くための処理を行う。
【００４６】
具体的には、第１搬送路３１を境にして、これより上方側に位置する送出しロール１３やフィードロール１４等の各構成要素を、外装カバーと一体で開状態にする。これにより、何らかの原因によって原稿が搬送途中で詰まってしまった場合であっても、搬送部３７が搬送方向を折り返す前の原稿については、当該原稿が露出状態になる。つまり、露出状態になった原稿の第１搬送路３１上からの取り除く作業が行えるようになる。
【００４７】
ただし、搬送部３７が搬送方向を折り返した後の原稿については、当該原稿がレジロール１８やアウトロール２０等の下方側に位置することになる。そのため、外装カバー等を開状態にしても、そのままでは原稿を取り除くことができない。
【００４８】
ところが、上述した構成の搬送部３７においては、第１排出ロール２１の回転軸に操作ノブ９４が設けられている。そして、その操作ノブ９４は、外装カバー等を開状態にすると、上方側に向いている当該操作ノブ９４の外周端面が、露出するようになっている。
その状態で、露出している操作ノブ９４の外周端面を操作して、当該操作ノブ９４を手動回転させると、これに対応して第１排出ロール２１の回転軸も回転する。さらには、駆動伝達機構９１による駆動伝達を介して、レジロール１８およびアウトロール２０の回転も連動して回転する。
【００４９】
したがって、搬送部３７が搬送方向を折り返した後に原稿の詰まりが発生しても、操作ノブ９４の回転方向に応じてレジロール１８、アウトロール２０および第１排出ロール２１も連動して回転するので、当該原稿は、排出トレイ４０上または搬送部３７が搬送方向を折り返す前の第１搬送路３１上に排出されることになる。つまり、操作ノブ９４を操作して手動での原稿送りを行うことで、当該原稿を取り除く作業が行えるようになる。
【００５０】
以上のように、本実施形態で説明した構成によれば、例えば搬送部３７にて原稿詰まり等の搬送トラブルが生じた場合であっても、操作ノブ９４の手動回転によって駆動伝達機構９１を介してレジロール１８、アウトロール２０および第１排出ロール２１のそれぞれに回転駆動力が伝達されるので、これにより搬送トラブルを起こした原稿の除去が行えるようになる。しかも、その場合であっても、操作ノブ９４が第１排出ロール２１の回転軸に設けられていることから、装置構成の複雑化も抑制されることになる。
【００５１】
ここで、装置構成の複雑化抑制について、比較例を挙げて説明する。
図４は、比較例となる原稿送り装置の要部構成を示す側断面図である。
図例の構成では、外装カバー等が開状態のときにその一部が露出するように、当該外装カバー近傍に操作ノブ９６を設けて、その操作ノブ９６の動作をプーリ９５Ａ，９５Ｂおよびベルト９５Ｃから構成される駆動伝達機構によってアウトロール２０の回転軸に伝えるといった機構を採用している。このような構成であっても、操作ノブ９６を操作して手動での原稿送りを行うことで、搬送トラブルを起こした原稿を取り除く作業が行えるようになる。ところが、操作ノブ９６からの駆動力をアウトロール２０の回転軸へ伝達するために、プーリ９５Ａ，９５Ｂおよびベルト９５Ｃから構成される駆動伝達機構が必要になってしまう。
【００５２】
一方、本実施形態で説明した構成によれば、操作ノブ９４が第１排出ロール２１の回転軸に設けられている。したがって、上述した比較例の構成に比べると、プーリ９５Ａ，９５Ｂおよびベルト９５Ｃから構成される駆動伝達機構が不要となる分、部品点数の増大が抑制されることになる。
【００５３】
本実施形態の構成を実現するためには、例えば図４に示すように、駆動伝達機構９１が配されている側に、フライホイール効果により第１排出ロール２１の回転を安定させるダンパ９７や、外装カバー等の開閉状態を検知するマイクロスイッチ９８等が設けられている場合には、これらの構成要素を駆動伝達機構９１とは第１排出ロール２１を挟んで別の側（すなわち、駆動源９３が配されている側）に移し、操作ノブ９４のための配置スペースを確保する。このようにすれば、排出ロール２１の回転安定化機能やカバー開閉状態検知機能等を損なうことなく、第１排出ロール２１の回転軸に操作ノブ９４を設けられるようになる。
【００５４】
また、本実施形態で説明した構成によれば、第１排出ロール２１の回転軸に操作ノブ９４を設けているので、当該操作ノブ９４をレジロール１８またはアウトロール２０の回転軸に設ける場合に比べると、当該操作ノブ９４の大径化が許容される。第１排出ロール２１の回転軸は、レジロール１８およびアウトロール２０の各回転軸よりも装置設置時に上方側に位置するように配されているからである。
ただし、操作ノブ９４は、その配置位置が必ずしも第１排出ロール２１の回転軸に限定されることはなく、配置スペースが確保される場合であれば、レジロール１８またはアウトロール２０の回転軸に設けても構わない。その場合であっても、搬送トラブルを起こした原稿の取り除き作業を容易化しつつ、上述した比較例に比べて部品点数の増大が抑制されることになる。
【００５５】
また、本実施形態で説明した構成によれば、操作ノブ９４がプーリ９１Ｅと一体で形成されるので、これらを別体で形成する場合に比べると、部品点数増大を抑制する上で有効なものとなる。
【００５６】
なお、本実施形態では、本発明の好適な実施具体例について説明したが、本発明はその内容に限定されるものではない。
すなわち、本発明は、本実施形態で説明した内容に限定されるものではなく、その要旨を逸脱しない範囲で変更しても構わない。
【符号の説明】
【００５７】
１０…画像読取装置、１１…原稿トレイ、１８…レジロール、２０…アウトロール、２１…第１排出ロール、３７…搬送部、４０…排出トレイ、７０…読取部、８０…処理装置、９１…駆動伝達機構、９４…操作ノブ、１００…画像形成装置、１１０…画像記録装置
【図１】
0005446533.tif 000002
【図２】
0005446533.tif 000003
【図３】
0005446533.tif 000004
【図４】
0005446533.tif 000005